(57)【要約】【課題】二次電池へ電力を供給するＡＣアダプターを内蔵し、かつＡＣアダプターを介する二次電池への充電路を確実に保護できる電気掃除機を提供する。【解決手段】電気掃除機１は、掃除機本体１２と、掃除機本体１２を収納する収納台３と、を備えている。収納台３は、着脱自在に接続される電源コード２９から供給される商用交流電力を直流電力に変換して出力するアダプター本体５６を有して掃除機本体１２が収納台３に収納された状態で二次電池２１を充電するＡＣアダプター５３と、アダプター本体５６を収納台３内に保持するアダプター固定枠６５と、アダプター本体５６から電源コード２９が引き抜かれることを阻止する第一引抜阻止部６６と、を備えている。【選択図】  図７
2016152870.tif 000002
【特許請求の範囲】
【請求項１】
掃除機本体と、
前記掃除機本体を収納する収納台と、を備え、
前記掃除機本体は、
電動送風機へ供給される電力を蓄える二次電池と、
前記二次電池に電気的に接続される本体側充電端子と、を備え、
前記収納台は、
前記掃除機本体を支える支持台と、
前記支持台を支える脚部と、
前記脚部の内外を通じて商用交流電力を導く電源コード、着脱自在に接続される前記電源コードから供給される前記商用交流電力を直流電力に変換して出力するアダプター本体、および前記アダプター本体から直流電力を出力する出力端子を有して前記掃除機本体が前記収納台に収納された状態で前記二次電池を充電するＡＣアダプターと、
前記出力端子に電気的に接続されて、前記掃除機本体が前記収納台に収納されると前記本体側充電端子に電気的に接続される台側充電端子と、
前記アダプター本体を収納台内に保持するアダプター固定枠と、
前記アダプター本体から前記電源コードが引き抜かれることを阻止する引抜阻止部と、を備える電気掃除機。
【請求項２】
前記アダプター固定枠は、前記支持台内に設けられている請求項１に記載の電気掃除機。
【請求項３】
前記支持台は、前記台側充電端子に電気的に接続され、かつ前記出力端子との接続方向を上方へ向け、抜き取り方向を下方に向ける台側入力端子と、前記台側入力端子から前記出力端子が引き抜かれることを阻止する第二引抜阻止部と、を備える請求項１または２に記載の電気掃除機。
【請求項４】
前記出力端子は、前記アダプター固定枠を前記支持台内へ配置することで前記台側入力端子に接続される請求項３に記載の電気掃除機。
【請求項５】
前記アダプター固定枠は、前記支持台内へ配置されると前記第二引抜阻止部の移動を阻止する請求項３または４に記載の電気掃除機。
【請求項６】
前記アダプター固定枠に一体に設けられて前記脚部の内部に収容され、前記電源コードを巻き付け可能なコードリールを備える請求項１から５のいずれか１項に記載の電気掃除機。
【請求項７】
前記コードリールが前記電源コードを巻き取り始める部分に設けられて、前記電源コードが前記コードリールの周方向においていずれの方向へ巻き付けられても、前記電源コードの折れ曲がりを防ぐ一対の円弧形状ガイドを備える請求項１から６のいずれか１項に記載の電気掃除機。
【請求項８】
前記一対の円弧形状ガイドに連接されて前記アダプター固定枠に対する前記電源コードの移動を阻止する曲線状の一対のリブを備える請求項７に記載の電気掃除機。
【発明の詳細な説明】
【技術分野】
【０００１】
本発明に係る実施形態は電気掃除機に関する。
【背景技術】
【０００２】
二次電池から供給される電力で電動送風機を運転する掃除機本体と、掃除機本体が配置されると二次電池を充電する充電台と、二次電池を充電するＡＣアダプターと、を備える電気掃除機が知られている。
【０００３】
ＡＣアダプター、特に商用交流電力を直流電力に変換するアダプター本体は、充電台の外側に露出させて配置されており、ＡＣアダプターの出力端子は、充電台の外側に露出した電源入力端子に接続されている。
【先行技術文献】
【特許文献】
【０００４】
【特許文献１】特開２０１４−２００３７９号公報
【発明の概要】
【発明が解決しようとする課題】
【０００５】
従来の電気掃除機のように、ＡＣアダプターを露出させて使用することは、充電台の外観を損なう。
【０００６】
また近年、二次電池を用いた可搬型や携帯型の機器や装置が増え、ＡＣアダプターの利用範囲が拡大されており、外観の似通ったＡＣアダプターが同じ場所に複数存在することが珍しくはなくなった。しかしながら、ＡＣアダプターから供給される電源電圧は一様でなく、ＡＣアダプターと機器や装置との組合せを誤ると、安全上の問題を生じさせる虞がある。従来の電気掃除機のようにＡＣアダプターを露出させて使用することは、ＡＣアダプターの組合せの誤りを生じさせかねず、安全上好ましくない。
【０００７】
ところが、充電台にＡＣアダプターを単純に内蔵する場合には、輸送中の振動や、電源コードに足を引っ掛けるなどの使用者の扱い方によっては、アダプター本体から電源コードが抜けてしまって、二次電池を充電できなくなってしまう虞もある。
【０００８】
そこで、本発明は、二次電池へ電力を供給するＡＣアダプターを内蔵し、かつＡＣアダプターを介する二次電池への充電路を確実に保護できる電気掃除機を提供することを目的とする。
【課題を解決するための手段】
【０００９】
前記の課題を解決するため本発明の実施形態に係る電気掃除機は、掃除機本体と、前記掃除機本体を収納する収納台と、を備え、前記掃除機本体は、電動送風機へ供給される電力を蓄える二次電池と、前記二次電池に電気的に接続される本体側充電端子と、を備え、前記収納台は、前記掃除機本体を支える支持台と、前記支持台を支える脚部と、前記脚部の内外を通じて商用交流電力を導く電源コード、着脱自在に接続される前記電源コードから供給される前記商用交流電力を直流電力に変換して出力するアダプター本体、および前記アダプター本体から直流電力を出力する出力端子を有して前記掃除機本体が前記収納台に収納された状態で前記二次電池を充電するＡＣアダプターと、前記出力端子に電気的に接続されて、前記掃除機本体が前記収納台に収納されると前記本体側充電端子に電気的に接続される台側充電端子と、前記アダプター本体を収納台内に保持するアダプター固定枠と、前記アダプター本体から前記電源コードが引き抜かれることを阻止する引抜阻止部と、を備えている。
【図面の簡単な説明】
【００１０】
【図１】本発明の実施形態に係る電気掃除機の斜視図。
【図２】本発明の実施形態に係る電気掃除機の収納状態の正面図。
【図３】本発明の実施形態に係る電気掃除機の収納状態の側面図。
【図４】本発明の実施形態に係る電気掃除機の収納状態の縦断面図。
【図５】本発明の実施形態に係る電気掃除機の収納台の正面図。
【図６】本発明の実施形態に係る電気掃除機の収納台の平面図。
【図７】本発明の実施形態に係る電気掃除機の収納台の分解斜視図。
【発明を実施するための形態】
【００１１】
以下、本発明に係る電気掃除機の実施形態について図１から図７を参照して説明する。
【００１２】
図１は、本発明の実施形態に係る電気掃除機の斜視図である。
【００１３】
図１に示すように、本実施形態に係る電気掃除機１は、スティック型電気掃除機２と、スティック型電気掃除機２を収納する収納台３と、を備えている。
【００１４】
先ず、スティック型電気掃除機２は、把手１１を有する手持ち操作可能な掃除機本体１２と、掃除機本体１２に接続される伸縮可能な延長管１３と、延長管１３に接続される吸込口体１５と、を備えている。
【００１５】
掃除機本体１２は、把手１１を有する本体ケース１６と、本体ケース１６に収容されて吸込負圧を生じさせる電動送風機１７と、本体ケース１６に着脱自在に設けられる塵埃分離集塵部１８と、主に電動送風機１７を制御する本体制御部１９と、電動送風機１７や本体制御部１９へ供給される電力を蓄える二次電池２１と、を備えている。
【００１６】
掃除機本体１２は、二次電池２１に蓄えた電力によって電動送風機１７を駆動させて、電動送風機１７の駆動によって発生する負圧を延長管１３に作用させている。スティック型電気掃除機２は、吸込口体１５および延長管１３を通じて床面から塵埃を含んだ空気（以下、「含塵空気」と呼ぶ。）を吸い込み、含塵空気から塵埃を分離し、分離後の塵埃を捕集し、蓄積するとともに分離後の空気を排気する。
【００１７】
本体ケース１６は、側面視において延長管１３の延長線上に配置される円筒状の前半部１６ａと、前半部１６ａから屈曲して延長管１３の延長線から徐々に離れる後半部１６ｂと、を備えている。本体ケース１６の前半部１６ａの上面には、塵埃分離集塵部１８が併設されている。本体ケース１６の後半部１６ｂは、吸込口体１５を床上に配置した使用状態（図２）において、後方へ向かって延びている。
【００１８】
本体ケース１６の正面部分には、本体接続口２２と、二次電池２１に電気的に接続される本体側充電端子２３と、が設けられている。
【００１９】
本体接続口２２は、延長管１３を着脱可能な継手であり、本体ケース１６の円筒状の前半部１６ａから正面へ向かって突出している。本体接続口２２は、掃除機本体１２の流体的な入口であり、延長管１３と塵埃分離集塵部１８とを流体的に接続している。本体接続口２２は、延長管１３を取り外すことによって、掃除機本体１２を単体で使用する際の吸込口としても機能する開口２２ａを有している。
【００２０】
本体側充電端子２３は、本体接続口２２の下面に併設されている。
【００２１】
把手１１は本体ケース１６に一体に設けられている。把手１１は、スティック型電気掃除機２で床面を掃除するために使用者が手で把持する部分である。把手１１は、塵埃分離集塵部１８の後端部の近傍から本体ケース１６の後端部へアーチ状に架かっている。また、把手１１は、延長管１３中心線の延長線Ｌ上に交差して配置されている。
【００２２】
把手１１の近傍には、把手１１を握った使用者が、その手指を動かせる範囲に配置される入力部２４が設けられている。
【００２３】
入力部２４は、電動送風機１７の運転開始操作を受け付ける運転開始スイッチ２４ａと、電動送風機１７の運転停止操作を受け付ける運転停止スイッチ２４ｂと、を備えている。運転開始スイッチ２４ａおよび運転停止スイッチ２４ｂは、本体制御部１９に電気的に接続されている。スティック型電気掃除機２の使用者は、入力部２４を操作して電動送風機１７の運転モードを択一的に選択できる。運転開始スイッチ２４ａは、電動送風機１７の運転中に、運転モードの切替スイッチとしても機能している。この場合、本体制御部１９は、運転開始スイッチ２４ａから操作信号を受け取る度に運転モードを強→中→弱→強→中→弱→………の順に切り換える。なお、入力部２４は、運転開始スイッチ２４ａに代えて、強運転スイッチ（図示省略）、中運転スイッチ（図示省略）、および弱運転スイッチ（図示省略）を個別に備えていても良い。
【００２４】
塵埃分離集塵部１８は、掃除機本体１２の上面側に着脱自在に設けられている。塵埃分離集塵部１８は、掃除機本体１２に流れ込む含塵空気から塵埃を分離し、捕集し、蓄積する一方で、塵埃が除去された清浄な空気を電動送風機１７へ送る。塵埃分離集塵部１８は、遠心分離方式であっても良いし、濾過分離方式であっても良い。
【００２５】
電動送風機１７は、塵埃分離集塵部１８から空気を吸い込んで負圧（吸込負圧）を発生させる。
【００２６】
本体制御部１９は、マイクロプロセッサ（図示省略）、およびマイクロプロセッサが実行する各種演算プログラム、パラメータなどを記憶する記憶装置（図示省略）を備えている。記憶装置には、予め設定される複数の運転モードが記憶されている。予め設定される複数の運転モードは、電動送風機１７の運転出力の大小に関連するものであって、入力部２４で受け付けられる使用者の操作に対応している。それぞれの運転モードには、相互に異なる入力値（電動送風機１７の入力値）が予め設定されている。本体制御部１９は、入力部２４で受け付けられる使用者の操作に応じて、その操作内容に対応する任意の運転モードを予め設定される複数の運転モードから択一的に選択して記憶部から読み出し、読み出した運転モードにしたがって電動送風機１７を制御する。
【００２７】
二次電池２１は、本体ケース１６内に設けられていても良いし、本体ケース１６外に着脱自在、ひいては交換自在に設けられているものであっても良い。
【００２８】
延長管１３および吸込口体１５は、電動送風機１７から作用する負圧によって、床面上の塵埃を空気とともに吸い込んで掃除機本体１２へ案内する。
【００２９】
延長管１３は、本体ケース１６の本体接続口２２および塵埃分離集塵部１８を介して電動送風機１７の吸込側に流体的に接続されている。延長管１３は、使用者が掃除機本体１２の把手１１を把持した状態で実質的に床面に届く長さを有する。延長管１３の一方の端部には、掃除機本体１２の本体接続口２２に着脱自在な継手構造が設けられている。延長管１３の他方の端部には、掃除機本体１２の吸込口体１５を着脱自在な継手構造が設けられている。
【００３０】
吸込口体１５は、木床やカーペットなどの床面上を走行自在または滑走自在であり、走行状態または滑走状態において床面に対向する底面に吸込口２５を有する。また、吸込口体１５は、吸込口２５に配置される回転自在な回転清掃体２６と、回転清掃体２６を駆動させる電動機２７と、を備えている。吸込口体１５の一方の端部には、延長管１３の他方の端部に着脱自在な継手構造が設けられている。吸込口体１５は、延長管１３を介して電動送風機１７の吸込側に流体的に接続されている。吸込口体１５、延長管１３、および塵埃分離集塵部１８は、電動送風機１７から吸込口２５へ至る吸込風路である。
【００３１】
なお、吸込口体１５は、電動機２７に代えて回転清掃体２６を駆動させる風車（図示省略）を備えていても良い。この風車は、スティック型電気掃除機２に吸い込まれる空気の流動によって回転し、回転清掃体２６を駆動させる。
【００３２】
スティック型電気掃除機２は、運転開始スイッチ２４ａで使用者の操作を検知すると電動送風機１７を始動させる。例えば、スティック型電気掃除機２は、電動送風機１７が停止している状態で運転開始スイッチ２４ａに対する操作を受け付けると、先ず電動送風機１７を強運転モードで運転し、再び運転開始スイッチ２４ａに対する操作を受け付けると電動送風機１７を中運転モードで運転し、三度、運転開始スイッチ２４ａに対する操作を受け付けると電動送風機１７を弱運転モードで運転し、以下同様に繰り返す。強運転モード、中運転モードおよび弱運転モードは、予め設定される複数の運転モードであり、強運転モード、中運転モード、弱運転モードの順に電動送風機１７に対する入力値が小さい。始動した電動送風機１７は、塵埃分離集塵部１８から空気を排気してその内部を負圧にする。
【００３３】
塵埃分離集塵部１８内の負圧は、本体接続口２２、延長管１３、および吸込口体１５を順次に通じて吸込口２５に作用する。スティック型電気掃除機２は、吸込口２５に作用した負圧によって、被掃除面上の塵埃を空気とともに吸い込んで被掃除面を掃除する。塵埃分離集塵部１８は、スティック型電気掃除機２に吸い込まれた含塵空気から塵埃を分離し、蓄積する一方で、含塵空気から分離した空気を電動送風機１７へ送る。電動送風機１７は、塵埃分離集塵部１８から吸い込んだ空気を掃除機本体１２外へ排気する。
【００３４】
他方、電気掃除機１の収納台３は、床面上に置かれる。収納台３は、スティック型電気掃除機２の充電装置を兼ねており、商用交流電源から電力を導く電源コード２９を備えている。
【００３５】
また、収納台３は、床面に接する円盤状の脚部４１と、脚部４１の中央から上方へ延びる円柱状の支持台４２と、を備えている。
【００３６】
支持台４２の頂部には、スティック型電気掃除機２の掃除機本体１２が収納される支持部４３が設けられている。
【００３７】
次に、電気掃除機１の収納状態について詳細に説明する。
【００３８】
図２は、本発明の実施形態に係る電気掃除機の収納状態の正面図である。
【００３９】
図３は、本発明の実施形態に係る電気掃除機の収納状態の側面図である。
【００４０】
図４は、本発明の実施形態に係る電気掃除機の収納状態の縦断面図である。
【００４１】
図５は、本発明の実施形態に係る電気掃除機の収納台の正面図である。
【００４２】
図６は、本発明の実施形態に係る電気掃除機の収納台の平面図である。
【００４３】
図７は、本発明の実施形態に係る電気掃除機の収納台の分解斜視図である。
【００４４】
図１に加えて図２から図７に示すように、本実施形態に係る電気掃除機１の収納台３は、掃除機本体１２を支えて収納する。また、収納台３は、掃除機本体１２から取り外された延長管１３と吸込口体１５とを一体で収納する。
【００４５】
収納台３の脚部４１は、支持部４３に収納された掃除機本体１２の下方投影よりも大きく拡がり、収納台３の安定性を高めている。
【００４６】
収納台３の支持台４２は、収納状態から使用状態へ、また使用状態から収納状態へと掃除機本体１２を取り扱いやすいように、掃除機本体１２を床面から離し、相応の高さ、例えば７０ｃｍから８０ｃｍ程度の高さに把手１１を配置できるよう、上方へ延びている。
【００４７】
また、収納台３は、本体接続口２２を下方へ向けた姿勢で掃除機本体１２を支える支持部４３と、掃除機本体１２が支持部４３に支持される状態において本体接続口２２に対面する底板４５を有する凹部４６と、凹部４６を収納台３の側方へ開放して見通しを確保する切り欠き４７を有する側壁部４８と、を備えている。
【００４８】
さらに、収納台３は、凹部４６の底板４５に設けられて掃除機本体１２の本体接続口２２に嵌まり込む凸部４９を備えている。
【００４９】
さらにまた、収納台３は、掃除機本体１２が収納台３に収納された状態で二次電池２１を充電する充電路５１を備えている。
【００５０】
支持部４３は、支持台４２の頂部に設けられている。支持部４３は、本体ケース１６の円筒状の前半部１６ａを受けるカップ状の枠であり、前半部１６ａの前端部に接して掃除機本体１２を支える段部５２を有している。
【００５１】
凹部４６は、支持部４３の下方に連続して設けられている。凹部４６は、掃除機本体１２が支持部４３によって支えられた状態、つまり掃除機本体１２の収納状態において、掃除機本体１２の一部、具体的には本体ケース１６から下方へ突出して垂れ下がる本体接続口２２が配置される空間を有している。凹部４６の底板４５は、支持部４３および凹部４６内で最も低い位置にある。
【００５２】
凹部４６は、本体接続口２２に触れていても良いが、本体接続口２２と底板４５との間に隙間を隔てることによって、掃除機本体１２の重量を支持部４３の段部５２でしっかりと受けて支持を安定させることができる。
【００５３】
支持部４３および凹部４６は、凹部４６の底板４５へ向かって狭くなっている。支持部４３および凹部４６は、掃除機本体１２を収納台３へ収納する際に、掃除機本体１２の本体接続口２２を凹部４６の底板４５へ誘導する。
【００５４】
具体的には、支持部４３および凹部４６は、より大径な本体ケース１６に対応する支持部４３から、より小径な本体接続口２２に対応する凹部４６へ向かって狭くなっている。また、掃除機本体１２を支持部４３へ納める方向、つまり平面視において、凹部４６は、支持部４３に包絡されるように配置されている。これによって、支持部４３へ侵入する掃除機本体１２は、本体接続口２２の筒先を凹部４６の底板４５へ向かって誘導されることになる。
【００５５】
また、支持部４３の上方開口端部は、中央側に向かって傾斜しており、掃除機本体１２を収納位置へ円滑に導く。
【００５６】
側壁部４８の切り欠き４７は、支持部４３の幅寸法よりも狭く、また、側壁部４８の切り欠き４７は、実質的に凹部４６の全幅を開放する。
【００５７】
切り欠き４７は、凹部４６を水平方向へ開放するものであれば、側壁部４８の前後左右いずれの方向へ設けられていても良い。また、凹部４６は、本体接続口２２の形状に対応しつつ切り欠き４７の奥側へ向かって狭くなる楔状の形状であっても良い。
【００５８】
凸部４９は、本体接続口２２の内径に嵌まり込むことで、支持部４３に支えられる掃除機本体１２が前後左右へ倒れ込むことを阻止して収納状態を安定させている。
【００５９】
充電路５１は、電源コード２９を含むＡＣアダプター５３と、ＡＣアダプター５３に電気的に接続される支持柱内コード５４と、支持柱内コード５４に電気的に接続されて支持部４３と凹部４６との境界部分に設けられる充電端子部５５と、を備えている。
【００６０】
ＡＣアダプター５３は、収納台３の支持台４２の下半部に収容されている。ＡＣアダプター５３は、電源コード２９が導く商用交流電力を直流電力に変換して出力するＡＣ−ＤＣアダプターである。ＡＣアダプター５３は、掃除機本体１２が収納台３に収納された状態で二次電池２１を充電する。ＡＣアダプター５３は、脚部４１の内外を通じて商用交流電力を導く電源コード２９と、着脱自在に接続される電源コード２９から供給される商用交流電力を直流電力に変換して出力するアダプター本体５６と、アダプター本体５６から直流電力を出力する出力端子５７と、を備えている。
【００６１】
電源コード２９の入力端には、配線用差込接続器（図示省略、所謂コンセント）に差し込まれる差込プラグ５８が設けられている。電源コード２９の出力端には、アダプター本体５６に着脱自在に接続されるコネクタ５９が設けられている。
【００６２】
アダプター本体５６は、直方体状の外殻を有し、長手方向を上下方向に向けて支持台４２内に収容されている。アダプター本体５６は、電源コード２９のコネクタ５９を差し込むソケット６０を備えている。ソケット６０は、下側に配置される側面（説明を簡単にするために「底面」と呼ぶ。）に設けられている。アダプター本体５６の上側に配置される側面（説明を簡単にするために「天面」と呼ぶ。）には、直流電力を出力するコード６１が繋がれている。
【００６３】
出力端子５７は、アダプター本体５６のコード６１の出力端に設けられている。出力端子５７は、コード６１をアダプター本体５６の側方に垂下させることで電源コード２９のコネクタ５９と同程度の高さ位置に配置されている。
【００６４】
充電端子部５５は、ＡＣアダプター５３の出力端子５７に電気的に接続されて、掃除機本体１２が収納台３に収納されると本体側充電端子２３に電気的に接続される台側充電端子６２を備えている。
【００６５】
支持柱内コード５４は、支持台４２内に敷設されてＡＣアダプター５３の出力端子５７と台側充電端子６２とを中継している。支持柱内コード５４は、ＡＣアダプター５３の出力端子５７に電気的に接続されて、充電端子部５５へ電力を導く。支持柱内コード５４は、ＡＣアダプター５３の出力端子５７に着脱自在に接続される台側入力端子６３を備えている。台側入力端子６３は、台側充電端子６２に電気的に接続され、かつ出力端子５７との接続方向を上方へ向け、抜き取り方向を下方に向けている。
【００６６】
収納台３は、アダプター本体５６から電源コード２９が抜き抜かれる方向を下方に向けてアダプター本体５６を収納台３内に保持するアダプター固定枠６５と、アダプター本体５６から電源コード２９が引き抜かれることを阻止する第一引抜阻止部６６と、を備えている。
【００６７】
アダプター固定枠６５は、支持台４２内、具体的には支持台４２の下半部に設けられている。アダプター固定枠６５は、アダプター本体５６が納まる上下方向へ長い長方形状の箱体であり、一方向、例えば背面に向かって開放されている。
【００６８】
アダプター固定枠６５の開口縁には、嵌め込まれたアダプター本体５６を保持する一対の爪６７が設けられている。アダプター固定枠６５の内側には、アダプター本体５６を上側に寄せて保持する一対の支持リブ６８が設けられている。一対の支持リブ６８の間には、電源コード２９のコネクタ５９が挟み込まれている。
【００６９】
アダプター固定枠６５の頂部には、アダプター本体５６の天面から突出するコード６１の根元部分を保護する保護枠６９が設けられている。保護枠６９は、アダプター固定枠６５を支持台４２へ配置する際に、コード６１が支持台４２に押し当てられたり、折り曲げられたりすることを防いでいる。
【００７０】
アダプター固定枠６５の底部には、電源コード２９を脚部４１側へ案内する開口７１が設けられている。電源コード２９は開口７１を通じて支持台４２内から脚部４１の内側へ導かれている。
【００７１】
第一引抜阻止部６６は、一対の支持リブ６８に併設されて電源コード２９のコネクタ５９がアダプター本体５６のソケット６０から引き抜かれることを阻止している。第一引抜阻止部６６は、アダプター固定枠６５の内壁面に一体成形されて突出し、コネクタ５９の端部に接触して、その移動、特にコネクタ５９が下方へ移動してソケット６０から抜けてしまうことを阻止している。
【００７２】
また、支持台４２は、台側入力端子６３から出力端子５７が引き抜かれることを阻止する第二引抜阻止部７２と、を備えている。
【００７３】
第二引抜阻止部７２は、出力端子５７の下端部の周囲を囲み、支持台４２と協働して出力端子５７を挟み込んで保持している。
【００７４】
ＡＣアダプター５３およびアダプター固定枠６５は、予め組み合わされたモジュール状態で支持台４２に組み付けられる。このとき、出力端子５７は、第二引抜阻止部７２に組み合わされた状態で、アダプター本体５６およびアダプター固定枠６５に先駆けて台側入力端子６３に接続されていても良い、また、出力端子５７は、アダプター固定枠６５を支持台４２内へ配置することで台側入力端子６３に接続されものであっても良い。この場合、第二引抜阻止部７２は、アダプター固定枠６５に固定されていることが好ましい。
【００７５】
そして、アダプター固定枠６５は、支持台４２内へ配置されると第二引抜阻止部７２の移動を阻止して台側入力端子６３から出力端子５７が引き抜かれるのを防いでいる。
【００７６】
また収納台３は、アダプター固定枠６５に一体に設けられて脚部４１の内部に収容される、電源コード２９を巻き付け可能なコードリール７３を備えている。
【００７７】
コードリール７３は、巻き取り中心を上下方向へ向けて横倒しに配置されており、脚部４１の高さを抑えている。コードリール７３は、脚部４１の裏面側に大径の鍔７５を有し、脚部４１の裏面から遠い側、すなわち接地面側に小径の鍔７６を有して電源コード２９の巻き取りやすさを高めている。コードリール７３から延びる電源コード２９は、脚部４１に設けられるコード貫通孔７７を通じて脚部４１の外側へ引き出されている。
【００７８】
コードリール７３の中心部には、アダプター固定枠６５の開口７１を隠して電源コード２９をコードリール７３へ導く蓋体７８が設けられている。
【００７９】
蓋体７８は、コードリール７３が電源コード２９を巻き取り始める部分に設けられて、電源コード２９がコードリール７３の周方向においていずれの方向へ巻き付けられても、電源コード２９の折れ曲がりを防ぐ一対の円弧形状ガイド７９を備えている。
【００８０】
また、蓋体７８は、一対の円弧形状ガイド７９に連接されてアダプター固定枠６５に対する電源コード２９の移動を阻止する曲線状の一対のリブ８１を備えている。
【００８１】
一対のリブ８１は、電源コード２９を挟み込むことで電源コード２９の移動を阻止している。一対のリブ８１は、第一引抜阻止部６６と協働してアダプター本体５６から電源コード２９が引き抜けることをより確実に阻止している。
【００８２】
なお、収納台３は、第一引抜阻止部６６単独で電源コード２９が引き抜けることを阻止するものであっても良く、一対のリブ８１を備えていなくても良い。
【００８３】
充電端子部５５は、切り欠き４７から見通すことができる一方で、平面視において凹部４６よりも奥側に配置されている。充電端子部５５は、収納台３の上方から支持部４３へ納まる掃除機本体１２の動きにともなって掃除機本体１２側の端子に接続される。
【００８４】
支持台４２の側部には、延長管１３を支えるフック受け８６が設けられている。延長管１３側にはフック受け８６に引っ掛け可能なフック（図示省略）が設けられている。電気掃除機１は、吸込口体１５および延長管１３を連結させたまま、延長管１３をフック受け８６に掛けて収納することができる。
【００８５】
掃除機本体１２は、支持部４３の上方に円筒状の本体ケース１６を起立させ、この本体ケース１６の前方側、つまり支持部４３の外側に収納台３の切り欠き４７を介して塵埃分離集塵部１８を吊り下げるように露出させて収納される。本体ケース１６および塵埃分離集塵部１８の上方には把手１１が配置され、容易に使用状態へ移行できる。
【００８６】
また、掃除機本体１２を収納台３に収納するときには、本体接続口２２を下側にして支持部４３の上方から収納位置へ配置することもでき、また、収納位置よりも若干上方において本体接続口２２を切り欠き４７に通すことによって、より高さの低い位置で支持部４３の内外を跨ぐようにして掃除機本体１２を収納台３に収納することもできる。
【００８７】
このように構成される本実施形態に係る電気掃除機１は、アダプター本体５６から電源コード２９が引き抜かれる方向を下方に向けてアダプター本体５６を収納台３内に保持するアダプター固定枠６５と、アダプター本体５６から電源コード２９が引き抜かれることを阻止する第一引抜阻止部６６と、を備えることによって、収納台３の美観を高め、かつＡＣアダプター５３を他の機器や装置に組み合わせて誤用されることを防いで安全性を高められる。
【００８８】
また、本実施形態に係る電気掃除機１は、アダプター本体５６から電源コード２９が引き抜かれる方向を下方に向けてアダプター本体５６を収納台３内に保持するアダプター固定枠６５と、アダプター本体５６から電源コード２９が引き抜かれることを阻止する第一引抜阻止部６６と、を備えることによって、輸送中の振動や、電源コード２９に足を引っ掛けるなど事象において、アダプター本体５６から電源コード２９が引き抜けることを阻止する。
【００８９】
さらに、本実施形態に係る電気掃除機１は、アダプター固定枠６５を支持台４２内に設けることによって、掃除機本体１２の収納場所、つまり支持部４３を高所に配置して、掃除機本体１２を取り出しやすくするとともに、支持台４２内の空間を有効に活用して収納台３の小型化に寄与できる。
【００９０】
さらにまた、本実施形態に係る電気掃除機１は、台側入力端子６３からＡＣアダプター５３の出力端子５７が引き抜かれることを阻止する第二引抜阻止部７２を備えることによって、ＡＣアダプター５３を収納台３に組み込む際に、万一、台側入力端子６３と出力端子５７との機械的な接続状態が不十分であっても、台側入力端子６３と出力端子５７とが収納台３の輸送や取り扱いによる振動で抜けてしまうことを阻止することができる。
【００９１】
また、本実施形態に係る電気掃除機１は、出力端子５７がアダプター固定枠６５を支持台４２内へ配置することで台側入力端子６３に接続されるため、収納台３の組立工程を簡素化できる。
【００９２】
さらに、本実施形態に係る電気掃除機１は、アダプター固定枠６５が支持台４２内へ配置されると第二引抜阻止部７２の移動を阻止するため、第二引抜阻止部７２を個別に固定する手順を要することなく、収納台３の組立工程を簡素化できる。
【００９３】
さらにまた、本実施形態に係る電気掃除機１は、アダプター固定枠６５に一体に設けられて脚部４１の内部に収容され、電源コード２９を巻き付け可能なコードリール７３を備えることによって、収納台３の外側に延びる電源コード２９の余長を適宜に調整して収納台３の美観を整えることができる。
【００９４】
また、本実施形態に係る電気掃除機１は、一対の円弧形状ガイド７９を備えることによって、コードリール７３に巻き付けられる電源コード２９の損傷を防ぐことができる。
【００９５】
さらに、本実施形態に係る電気掃除機１は、第一引抜阻止部６６に加えて一対のリブ８１を備えることによって、アダプター本体５６から電源コード２９が引き抜けることを、より確実に阻止することができる。
【００９６】
したがって、本発明に係る電気掃除機１によれば、二次電池２１へ電力を供給するＡＣアダプター５３を内蔵し、かつＡＣアダプター５３を介する二次電池２１への充電路５１を確実に保護できる。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
１  電気掃除機
２  スティック型電気掃除機
３  収納台
１１  把手
１２  掃除機本体
１３  延長管
１５  吸込口体
１６  本体ケース
１７  電動送風機
１８  塵埃分離集塵部
１９  本体制御部
２１  二次電池
１６ａ  前半部
１６ｂ  後半部
２２  本体接続口
２２ａ  開口
２３  本体側充電端子
２４  入力部
２４ａ  運転開始スイッチ
２４ｂ  運転停止スイッチ
２５  吸込口
２６  回転清掃体
２７  電動機
２９  電源コード
４１  脚部
４２  支持台
４３  支持部
４５  底板
４６  凹部
４７  切り欠き
４８  側壁部
４９  凸部
５１  充電路
５２  段部
５３  ＡＣアダプター
５４  支持柱内コード
５５  充電端子部
５６  アダプター本体
５７  出力端子
５８  差込プラグ
５９  コネクタ
６０  ソケット
６１  コード
６２  台側充電端子
６３  台側入力端子
６５  アダプター固定枠
６６  第一引抜阻止部
６７  爪
６８  支持リブ
６９  保護枠
７１  開口
７２  第二引抜阻止部
７３  コードリール
７５、７６  鍔
７７  コード貫通孔
７８  蓋体
７９  円弧形状ガイド
８１  リブ
８６  フック受け
【図１】
2016152870.tif 000003
【図２】
2016152870.tif 000004
【図３】
2016152870.tif 000005
【図４】
2016152870.tif 000006
【図５】
2016152870.tif 000007
【図６】
2016152870.tif 000008
【図７】
2016152870.tif 000009